(57)【特許請求の範囲】
【請求項１】
合成樹脂により形成された容器の口部外周に圧接する筒壁（１）、該筒壁（１）に一体に設けられた、通口を形成し得る前記口部を遮断する上壁（２）、前記筒壁（１）内側に形成された、前記容器の口部外周に形成された凹条に圧接係止する突条（３）、前記上壁（２）上に設けられた短筒状の固定筒（５）、により形成された中栓６と；前記固定筒（５）に固定させて前記中栓（６）上に装着する外蓋（４）と；を備えた分別回収キャップであって；
前記固定筒（５）上端部（７）から前記筒壁（１）に亘り上下方向に破断し易く形成された、少なくも一本が前記筒壁（１）の下端部（８）に達して形成された２本の弱化線（９、９）と、
前記弱化線（９、９）の間で、かつ、前記固定筒の上端部（７）に形成された把持部と、
を有することを特徴とする分別回収キャップ。
【請求項２】
上壁（２）は、容器の口部の上部に圧接する上接部（１０）を有し、かつ該上接部（１０）から半径方向外方に延設して、弱化線（９、９）の上下方向の途中に達し、連接して形成された破断し易い弱化部（１１）を有する請求項１記載の分別回収キャップ。
【請求項３】
固定筒（５）及び外蓋（４）はそれぞれ互に螺合する螺条（１２）、螺溝（１３）を有している請求項１、又は２記載の分別回収キャップ。
【請求項４】
固定筒（５）は上壁（２）上に独立して設けられ、内側に空間（１４）を有して形成されている請求項１、２、又は３記載の分別回収キャップ。
【請求項５】
螺条（１２）は弱化線（９、９）に対応する部分に欠如部（１６）が形成されている請求項３、又４記載の分別回収キャップ。
【請求項６】
弱化線（９、９）は固定筒（５）及び筒壁（１）のそれぞれの内側（１７）に形成されている請求項１、２、３、４、又は５記載の分別回収キャップ。
【発明の詳細な説明】
【０００１】
【発明の属する技術分野】
この発明は瓶等の容器の口部に打栓形式により装着し、その容器のリサイクルのための回収に際して、きわめて容易に同容器から外し取ることのできる分別回収キャップに関する。
【０００２】
【従来の技術】
従来から打栓形式によりキャップを装着する分別回収キャップにおいて、種々の構造のキャップが提供されているが、その中に図５〜図７に示すような、分別に際して容器との嵌合を緩めるためにキャップの中栓６の、筒壁１に周方向の弱化ライン１８を形成し、これにより裂取り部１９を形成し、この裂取り部１９の先端部２０に把持片１５を形成したものが用いられている。なお図７において２１は容器の口部、２２は同口部２１に形成された凹条、３は該凹条２２に係合する突条を示す。又２３は螺筒、４は螺筒２３に螺合する外蓋である。又２は裂溝２４を形成した上壁、２５は注筒、２６は前記裂溝２４内の上壁２上に設けられた裂取部材を示す。
このように構成された分別回収キャップは、図７に示すように容器の口部２１に打栓されて消費者等の手に渡り、使用の際は外蓋４を外し、裂取部材２６を上方に引っ張り、上壁２を裂溝２４から裂切ってそこに通口を形成し、容器の内容品を注出して使用する。そして容器の回収に際しては把持片１５を外方に引っ張り、弱化ライン１８を裂き切ると、筒壁１と容器の口部２１との圧接が緩み、容器の口部２１から取り外しが容易となり容易に外し取られる。
【０００３】
【発明が解決しようとする課題】
しかし上記従来の分別回収キャップは次のような問題を有している。それは、消費者等が使用に際し、裂取部材２６を引っ張らずに誤って把持片１５を引っ張ってしまうことが起きるのである。
そうすると、次に裂取部材２６を引っ張ってそこに開口を形成して使用する場合、このキャップが容器の口部２１から抜け易くなってしまうのである。
又、他の問題として、キャップ成型後の取扱いの際に把持片１５相互が係合し合ってしまい。その後の機械的取扱いができなくなる。
この発明は上記のような問題を解決するためになされたもので、その目的は打栓形式でキャップを容器に装着する分別回収キャップにおいて、使用の際に消費者の誤操作を防ぐことができ、かつ容器の回収の際、同容器から中栓をきわめて容易に外し取ることのできる分別回収キャップを提供することである。
又他の目的は把持片相互が係合し合って機械的取扱いのできなくなることのない、分別回収キャップを提供することである。
【０００４】
【課題を解決するための手段】
前記問題を解決するこの発明について述べるとそれは、
合成樹脂により形成された容器の口部外周に圧接する筒壁１、該筒壁１に一体に設けられた、通口を形成し得る前記口部を遮断する上壁２、前記筒壁１内側に形成された、前記容器の口部外周に形成された凹条に圧接係止する突条３、前記上壁２上に設けられた短筒状の固定筒５、により形成された中栓６と；前記固定筒５に固定させて前記中栓６上に装着する外蓋４と；を備えた分別回収キャップであって；
前記固定筒５上端部７から前記筒壁１に亘り上下方向に破断し易く形成された、少なくも一本が前記筒壁１の下端部８に達して形成された２本の弱化線９、９と、前記弱化線９、９の間で、かつ、前記固定筒の上端部７に形成された把持部と、を有することを特徴とする分別回収キャップ、である。
【０００５】
【発明の実施の形態】
この発明の実施の形態について説明する。
この発明は、合成樹脂により形成された容器の口部外周に圧接する筒壁１と、該筒壁１に一体に設けられた、通口を形成し得る前記口部を遮断する上壁２と、前記筒壁１内側に形成された、前記容器の口部外周に形成された凹条に圧接係止する突条３と、前記上壁２上に設けられた、後記外蓋４を固定する短筒状の固定筒５と、前記各構成１〜５により形成された中栓６と、前記固定筒５に固定させて前記中栓６上に装着する外蓋４と、前記固定筒５上端部７から前記筒壁１に亘り上下方向に、破断し易く形成された、少なくも一本が前記筒壁１の下端部８に達して形成された２本の弱化線９、９と、から成ることを特徴とする分別回収キャップである。
【０００６】
この発明は前記のように構成されたことにより、通常の使用の際は、外蓋４を開放し、中栓６の上壁２に通口を形成して容器の口部から内容品を注出して用いる。そして内容品を消費してしまい、この容器をリサイクル用に回収する場合は、弱化線９、９を固定筒５から筒壁１に亘り破断させるのである。この場合前記二つの弱化線９、９の間で、かつ前記固定筒５の外側と固定筒５の上端部を摘み外方にかつ斜下方に向けて力を加える、そうすると前記弱化線９、９が裂切られる。この場合固定筒５は円筒のため円筒形状による剛性を有し、変形しにくく形成されていて、かつ又裂切ろうとする部分も樋状に湾曲しているため、その形状により剛性を有して変形しにくい事により、弱化線９、９裂切りの力は弱化線９、９に直達し、直ちに、容易に裂切りを開始させることができる。
又弱化線９、９の裂切りによってほぼ樋状に裂切られた固定筒５の部分は、樋状のため前記のように剛性を有し、このため容器口部の凹条に圧接する突条の圧接部分が支点となり、樋状部の上部が力点となり、樋状部と上壁２との接続部分を作用点とする梃子が成り立つため、樋状部と上壁２との接続部分を容易に裂切ることができる。
又、上壁２との接続部から下の筒壁１も、裂切部分が樋状で剛性を有するため、変形が少く、従って容易に弱化線９、９を裂切ることができる。そして、これにより容器の口部２１に対する筒壁１の圧接は緩めることができるから、これにより容易に容器の口部２１から外し取ることができる。しかも弱化部１１はその基端部である上接部１０が容器口部２１の上部に圧接しているため、弱化線９、９を破断できるように構成しても容器の密閉性を充分に保持することができる。
次に、この発明の他の実施の形態について述べると、それは、上壁２は、容器の口部の上部に圧接する上接部１０を有し、かつ該上接部１０から半径方向外方に延設して、弱化線９、９の上下方向の途中に達し、連接して形成された破断し易い弱化部１１を有する前記分別回収キャップである。
この発明は前記のように構成されたことにより、上壁２と固定筒５との連接部を容易に裂切り易く形成することができるにもかかわらず、その部分に対応する上壁２の上接部１０の、容器１の口部の密閉性に全く影響を与えないようにすることができる。
【０００７】
次にこの発明の更に他の実施形態について述べると、固定筒５及び外蓋４はそれぞれ螺合するための螺条１２、螺溝１３を有している前記分別回収キャップである。
この発明は上記のように構成されたことにより、外蓋４を固定筒５に螺合させることにより、外蓋４により弱化線９、９をカバーしており、そして外蓋４を開放すると裂取部材２６が現れるから、又裂取部材２６はその機能が通常一般に広く周知されているため、裂取部材２６を引っ張ることなく、それより前に弱化線９、９を裂切ってしまう誤りを防止することができる。又固定筒５に外蓋４を螺合させたことにより、固定筒５の弱化線９、９の部分を補強することができ、このキャップの打栓の際にその打撃により弱化線９、９の損傷するのを防止することができる。
【０００８】
又この発明の更に他の実施の形態としては、固定筒５は上壁２上に独立して設けられ、内側に空間１４を有して形成されている。このように構成されたことにより、前記弱化線９、９破断のために固定筒５の上端部７に指先をかけたり、又は空間１４にプライヤー等の器具の一部の先端部を挿入できる。そして前記指先又は固定筒５を挟持したプライヤー等の器具を外側に回動させ、図４に示すように矢印Ａ９方向に、外側に破断させる。こうして弱化線９、９を容易に破断することができる。
次にこの発明の更に他の実施の形態として、図３に示すように固定筒５は弱化線９、９の間で、かつその上端部７に把持片１５が設けられた。
この発明は前記のように構成されたことにより、把持片１５を把持して、即ちこれにより把持を確実にできるから、弱化線９、９を容易に破断させることができ、又弱化部１１の破断も同様な理由で容易にかつ確実にすることができる。
又把持片１５は固定筒５の上端部７に、又外蓋４の内側に形成されたことにより、前記従来例に述べたような、把持片１５相互が係合しあって、機械的取扱いのできなくなるを防止することができる。
更に外蓋４を外した場合、前記把持片１５は上壁２に通口を形成する部材と共に現れるから把持片１５を通口形成用部材と誤ることはなく、誤って把持片１５を引っ張ってしまう誤操作を防止できる。
又この発明の更に他の実施の形態として螺条１１は弱化線９、９に対応する部分には欠如部１６が形成されている。
このように構成されたことにより螺条１２と、外蓋４の螺溝１３との螺合は全く支障がないにもかかわらず、弱化線９、９の破断をきわめて容易にすることができる。
【０００９】
又更に他の実施の形態として、弱化線９、９は固定筒５及び筒壁１のそれぞれの内側に形成された。
このように構成されたことにより、外観は通常の中栓と変わらなくでき、商品価値を保つことができると共に容易に弱化線９、９を破断して容器の口部２１との圧接を緩めることができ、容易に外し取ることができる。
しかも固定筒５の内側から指先、プライヤー等の器具により外側に破断させる場合、内側に弱化線９、９が形成されているため、応力集中を内側に起こさせ易いから、破断の力が分散せず、従って破断を容易にすることができる。
【００１０】
【実施例】
図１において６は合成樹脂、一例としてポリエチレンにより形成された中栓であり、容器の口部２１の外周部に圧接する筒壁１と、該筒壁１に一体に設けられた前記容器の口部２１を遮断する上壁２から成り、該上壁２には無端状の裂溝２４が形成され、これによりその内側に開口を形成し得る裂取部１９が形成されている。３は前記筒壁１の内側に形成された突条であり、前記容器の口部２１の外周に形成された凹条２２に圧接係止している。５は短筒状の固定筒であり、外蓋４を固定し得るように形成されており、図１に示すものは一例として外側に螺条１２を有し、外蓋４の内側に形成された螺溝１３と螺合して閉止させられている。
【００１１】
次に９、９は前記固定筒５の内側の上端部７から、前記筒壁１の内側に亘り上下方向に破断し易く形成された二本の弱化線で、一例として溝状に形成され、そのうちの少なくとも一本は前記筒壁１の下端部８に達して形成されている。
次に図３において、１１は破断され易く形成された弱化部であり、前記中栓６の、前記中栓６を容器の口部２１に装着した際に容器の口部２１の上部に圧接する上接部１０から、半径方向外方に延設させられ、そして前記弱化線９、９の上下方向の途中に達し、連接して形成されている。
なお前記固定筒５は外蓋４を固定するものであれば適宜の形式を用いてよく、前記螺合は前記のように一例を示すものである。
【００１２】
次に、前記固定筒５は図１に示すように上壁２上に独立して、例えば注筒２５に連接することなく設けられ、その内側に空間１４が形成されている。
又図３に示すように前記固定筒５は前記弱化線９、９の間でかつ上端部７に、把持片１５が形成された。この把持片１５はその上部の内側に滑り止め突起２７が設けられている。この把持片１５は強く把持できるから、これにより弱化線９、９及び弱化部１１の裂き切りを確実にできる。
次に図１に示すように前記螺条１２は、弱化線９、９に対応する部分に欠如部１６が形成された。
又前記弱化線９、９は固定筒５及び筒壁１とも、それぞれの内側１７に形成されている。
【００１３】
次に前記筒壁１は図１に示すように前記突条３の部分から鍔状の大径部２９が形成され、該大径部２９の下部となる筒壁１の下端は図示のように内側に屈曲して形成された。又容器の口部２１は図３に示すように前記凹条２２の下部は下方程大径となる傾斜部３０が形成され、その下端部に凹所３１が形成された。３２は外周突条を示す。又３３は空隙である。そしてこのように構成された分別回収キャップは、中栓６に外蓋４を装着した状態で、図示しない打栓機により容器の口部２１に打栓されて装着される。消費者等は使用に際して外蓋４を外し、裂取部材２６を上方に引っ張り、裂溝２４を裂切り、上壁２に通口を形成して図示しない容器の内容品を注筒２５から注出して使用する。
なお３４は注筒２５を閉止す中足、３５は縦リブである。この実施例においては前記傾斜部３０を形成し、かつ筒壁１に大径部２９を形成したことにより、打栓の際に大径部２９より下の筒壁１は拡大されつつ下方に移動し、弾性を現わして緩衝するから、弱化線９、９及び弱化部１１の、特に弱化部１１の弱化線９、９に対する接続部分の、打栓の打撃による損傷を防止することができる。
【００１４】
【発明の効果】
請求項１の発明は、前記のように構成されたことにより、容器のリサイクルのための回収に際して、前記二つの弱化線９、９の間で、かつ前記固定筒５の外側と固定筒５の上端部を摘み、外方に、かつ斜下方に向けて力を加える、そうすると、前記弱化線９、９が裂切られる。この場合固定筒５は円筒のため円筒形状による剛性を有し、変形しにくく形成されていて、かつ又裂切ろうとする部分も樋状に湾曲しているため、その形状により剛性を有して変形しにくい事により、弱化線９、９裂切りの力は弱化線９、９に直達し、直ちに、容易に裂切りを開始させることができる。又弱化線９、９の裂切りによってほぼ樋状に裂切られた固定筒５の部分は、樋状のため前記のように剛性を有し、このため容器口部の凹条に圧接する突条の圧接部分が支点となり、樋状部の上部が力点となり、樋状部と上壁２との接続部分を作用点とする梃子が成り立つため、樋状部と上壁２との接続部分を容易に裂切ることができる。又上壁２との接続部から下の筒壁１も、裂切部分が樋状で剛性を有するため、変形が少く、従って容易に弱化線９、９を裂切ることができる。そしてこれにより容器の口部に対する筒壁１の圧接を緩めることができるから、このキャップを容易に容器の口部から外し取ることができる。また、この発明は前記のように構成されたことにより、把持片１５を把持して、即ちこれにより把持を確実にできるから弱化線９、９を容易に破断させることができ、又弱化部１１の破断も同様な理由で容易にかつ確実にすることができる。又把持片１５は固定筒５の上端７に、又外蓋４の内側に形成されたことにより、前記従来例に述べたような把持片１５相互が係合し合って、機械的取扱いのできなくなるのを防止することができる。
請求項２の発明は前記のように構成されたことにより、上壁２と固定筒５との連接部を容易に裂切り易く形成することができるにもかかわらず、かつ又同連接部を裂切ってしまっても、その部分に対応する上壁２の上接部１０の、容器の口部の密閉性に全く影響を与えないようにすることができる。
請求項３の発明は、前記のように構成され、外蓋４を固定筒５に螺合させることにより、該外蓋４によって弱化線９、９をカバーしており、そして外蓋４を開放すると裂取部材２６が現れるから、かつ又裂取部材２６はその機能が通常一般に広く周知されているため、裂取部材２６を引っ張ることなく、それより前に弱化線９、９を裂切ってしまう誤りを防止することができる。又固定筒５に外蓋４を螺合させたことにより、固定筒５の弱化線９、９の部分を補強することができ、このキャップの打栓の際にその打撃により弱化栓９、９の損傷するのを防止することができる。
【００１５】
請求項４の発明は前記のように構成されたことにより、前記弱化栓９、９破断のために固定筒５の上端部７に指先をかけたり、又は空間１４にプライヤー等の器具の先端部の一部を挿入できる。そして前記指先又はプライヤー等の器具を外側に回動させ、図４に示すように矢印Ａ９方向に、外側に破断させる。こうして弱化線９、９を容易に破断することができる。
【００１６】
請求項５の発明は前記のように構成されたことにより、螺条１２と外蓋４の螺溝１３との螺合は全く支障がないにもかかわらず、弱化線９、９の破断をきわめて容易にすることができる。
請求項６の発明は前記のように構成されたことにより、外観は通常の中栓と変わらなくでき、商品価値を保つことができると共に、容易に弱化線９、９を破断して容器の口部２１との圧接を緩めることができる。しかも固定筒５の内側から指先、プライヤー等の器具により外側に破断させる場合、内側に弱化線９、９が形成されているため、これら弱化線９、９に応力集中を起させ易いから、破断を容易にすることができる。
【図面の簡単な説明】
【図１】この発明の実施例を示し、分別回収キャップを容器口部へ装着した場合の、一部を破壊して示した図である。
【図２】この発明の実施例を示し、注筒、裂取部材等一部を省略して示した中栓の平面図である。
【図３】この発明の実施例を示し、容器の口部に装着した分別回収キャップの要部の断面図である。
【図４】この発明の分別回収キャップの、外蓋を脱して容器の口部から中栓を外す場合の説明図である。
【図５】従来の同種キャップの側面図である。
【図６】図５に示す従来のキャップの下面図である。
【図７】図５に示す従来のキャップを容器の口部に装着した場合の、一部を破壊して示した図である。
【符号の説明】
１        筒壁
２        上壁
３        突条
４        外蓋
５        固定筒
６        中栓
７        上端部
８        下端部
９        弱化線
１０        上接部
１１        弱化部
１２        螺条
１３        螺溝
１４        空間
１５        把持片
１６        欠如部
【図１】
0003796672.tif 000002
【図２】
0003796672.tif 000003
【図３】
0003796672.tif 000004
【図４】
0003796672.tif 000005
【図５】
0003796672.tif 000006
【図６】
0003796672.tif 000007
【図７】
0003796672.tif 000008